(57)【要約】【課題】ケーシングの外面に配線された浴室暖房装置の内部配線をケーシングから浮かせることなく配線することができる浴室暖房装置を提供する。【解決手段】装置本体２内部のコントローラ基板などに接続されている内部の配線４を、引出し用孔２１からケーシング６の外面に引き出す。ケーシング６の外面には複数のリブ２２が突設されており、リブ２２間には配線用凹部２３が形成されている。引出し用孔２１から引き出された配線２４は、配線用凹部２３の内部に納められており、配線用凹部２３に沿ってケーシング６外面の端子台２０へ導かれている。この端子台２０において、内部からの配線２４と熱源機やリモートコントローラ等からの外部の配線２５とが接続される。【選択図】　　　図５
2004060902.tif 000002
【特許請求の範囲】
【請求項１】
浴室の空気を加熱するための加熱手段と、前記加熱手段によって加熱された空気を浴室内に吹き出させるための循環ファンとをケーシングに納めた浴室暖房装置において、
前記ケーシングの外面に配線用の凹部を形成し、ケーシングの外部へ引き出された、ケーシング内部の電気機器の配線を前記凹部に納めたことを特徴とする浴室暖房装置。
【請求項２】
前記ケーシングの外面に少なくとも１本のリブを設け、当該リブ間に配線用の凹部を形成したことを特徴とする、請求項１に記載の浴室暖房装置。
【請求項３】
前記凹部は、内部の配線をケーシングの外部へ引き出している箇所から外部の配線と接続するための箇所まで延びていることを特徴とする、請求項１又は２に記載の浴室暖房装置。
【請求項４】
電気機器の配線を納められた前記凹部の少なくとも一部に、配線が前記凹部から飛び出るのを押えるための治具を備えた、請求項１、２又は３に記載の浴室暖房装置。
【発明の詳細な説明】
【０００１】
【発明の属する技術分野】
本発明は、浴室暖房装置に関する。
【０００２】
【背景技術】
浴室暖房装置には、循環ファンモータや換気装置のモータ、風向板を動かすためのモータ、各種センサ類、コントローラ基板などが納められている。従って、これらの電気機器などには、外部との電気的接続を行う必要がある。一方、浴室の天井部分に配設される浴室暖房装置は、次第にコンパクト化されてきており、ケーシング内部にも無駄な空間はほとんどなくなりつつある。従って、浴室暖房装置のケーシング内には、上記循環ファンモータやコントローラ基板などと外部の電源やリモートコントローラ、熱源機内のコントローラなどとの接続を行うためのスペースがない。
【０００３】
そのため、従来の浴室暖房装置にあっては、ケース外部で配線どうしの接続を行わざるを得ず、循環ファンモータや換気扇のモータ、コントローラ基板の電気機器に繋がれた配線を一旦ケーシング外部へ引き出し、ケーシングの外面（通常は、コントローラ基板の近傍）に設けられた接続端子において、コントローラ基板等からの内部配線と電源やリモートコントローラ等からの外部配線とを接続している。
【０００４】
浴室暖房装置の内部からケーシングの外面へ引き出されている内部配線は、従来からもケーシングの外面に沿って配線され、内部配線をケーシングの外面へ引き出しているケーシングの孔の近傍でクランプなどによって押えられている。
【０００５】
しかしながら、クランプで固定されている箇所以外では、内部配線がケーシングの外面から浮き上がり易く、施工時に梱包を解いて浴室暖房装置を施工現場の床などに置いていると、施工者が内部配線に足などを引っ掛けて内部配線を破損したり、つまづいたりする問題があった。また、施工時にしか見えないにしても、施工者や施主などが見たときに外観が悪いという不都合もあった。
【０００６】
本発明は上記のような問題点に鑑みてなされたものであり、その目的とするところは、ケーシングの外面に配線された浴室暖房装置の内部配線をケーシングから浮かせることなく配線することができる浴室暖房装置を提供することにある。
【０００７】
【発明の開示】
請求項１に記載の浴室暖房装置は、浴室の空気を加熱するための加熱手段と、前記加熱手段によって加熱された空気を浴室内に吹き出させるための循環ファンとをケーシングに納めた浴室暖房装置において、前記ケーシングの外面に配線用の凹部を形成し、ケーシングの外部へ引き出された、ケーシング内部の電気機器の配線を前記凹部に納めたことを特徴としている。ここでいう加熱手段は、特に限定されるものではなく、例えば、温水と熱交換させることによって浴室の空気を加熱する熱交換器でもよく、発熱によって浴室の空気を加熱する電気ヒータでもよい。
【０００８】
請求項１に記載の浴室暖房装置にあっては、ケーシングの外面に配線用の凹部を形成し、ケーシングの外部へ引き出された配線をこの凹部に納めているので、ケーシングの外面で配線が浮き上がりにくく、施工時に配線に足などを引っ掛けて配線を損傷する恐れが少なくなる。また、施工時における浴室暖房装置の外観も良好にすることができる。
【０００９】
請求項２に記載の浴室暖房装置は、請求項１に記載の浴室暖房装置において、前記ケーシングの外面に少なくとも１本のリブを設け、当該リブ間に配線用の凹部を形成したことを特徴としている。
【００１０】
請求項２の浴室暖房装置にあっては、ケーシングの外面に設けた少なくとも１本のリブの間に配線用の凹部を形成しているので、凹部がケーシングの内面に飛び出ることがなく、凹部の箇所でケーシングの内面を平坦に形成することが可能になる。よって、ケーシングをコンパクト化しても、ケーシングの内部に循環ファンモータや換気装置等の部品を収納し易くなり、組立て性が良好となる。
【００１１】
請求項３に記載の浴室暖房装置は、請求項１又は２に記載の浴室暖房装置において、前記凹部は、内部の配線をケーシングの外部へ引き出している箇所から外部の配線と接続するための箇所まで延びていることを特徴としている。
【００１２】
請求項３の浴室暖房装置にあっては、内部の配線をケーシングの外部へ引き出している箇所から外部の配線と接続するための箇所まで凹部を設けているので、外部に引き出された配線のほぼ全長を凹部内に納めることができ、ケーシングの外面でより確実に配線が浮き上がりにくくなり、施工時に配線に足などを引っ掛けて配線を損傷するのを防止することができる。また、施工時における浴室暖房装置の外観もより一層良好になる。
【００１３】
請求項４に記載の浴室暖房装置は、請求項１、２又は３に記載の浴室暖房装置において、電気機器の配線を納められた前記凹部の少なくとも一部に、配線が前記凹部から飛び出るのを押えるための治具を備えたことを特徴としている。なお、治具としては配線を機械的に押えるための板材などに限らず、棒材や板バネ、粘着テープなどでもよい。
【００１４】
請求項４の浴室暖房装置は、電気機器の配線を納められた前記凹部の少なくとも一部に設けた治具で配線を押えているので、浴室暖房装置の搬送中に配線が凹部から浮き上がってくるのを防止することができる。
【００１５】
【発明の実施の形態】
図１（ａ）は本発明の一実施形態による天井取付け型の浴室暖房装置の構造を示す概略断面図、図１（ｂ）は図１（ａ）のＸ−Ｘ線断面図である。浴室暖房装置１は、装置本体２と化粧パネル３とから構成されている。装置本体２は天井裏へ納入され、吊りボルト（図示せず）等によって天井裏で吊り下げられる。装置本体２の下面に対向して開口された天井パネル４の開口５の下には、化粧パネル３が着脱自在に取付けられる。
【００１６】
装置本体２においては、下面開口した箱状のケーシング６内にクロスフローファンからなる循環ファン７が納められ、循環ファン７の回転軸には、循環ファンモータ８が接続されている。循環ファンモータ８は、その軸受け部分８ａを循環ファンモータ受け９ａに保持されている。また、循環ファン７のエア吸入側には２面の熱交換器１０が設置されており、循環ファン７のエア吹き出し側には温風吹出し通路１１が取付けられている。
【００１７】
化粧パネル３には、グリル状をした吸込口１２と吹出口１３とが設けられ、吸込口１２は循環ファン７のエア吸い込み側に対向するように配置され、吹出口１３には装置本体２の温風吹出し通路１１の下端が位置している。また、吸込口１２の上面には面状のフィルタ１４が配設されている。
【００１８】
しかして、循環ファンモータ８により循環ファン７を回転させると、化粧パネル３の吸込口１２から装置本体２内へ浴室内の空気が吸い込まれ、吸い込まれた空気は熱交換器１０を通過する。熱交換器１０には、熱源機（図示せず）で加熱された温水が循環しており、循環ファン７により吸い込まれた空気が熱交換器１０を通過すると、温水と熱交換することによって加熱される。加熱された温風は、循環ファン７によって送り出され、温風吹出し通路１１を通って吹出口１３から吹き出される。
【００１９】
よって、冬季の入浴時または入浴前においては、吹出口１３から例えば斜めに温風を吹き出すことによって、浴室内の暖房を行うことができる。また、吹出口１３の真下に衣類を吊り下げておき、吹出口１３から真下に向けて温風を吹き出すことにより、浴室内を衣類乾燥室として使用することができる。
【００２０】
図２は上記装置本体２を下方から見上げた状態の一部省略した斜視図である。前記循環ファンモータ受け９ａと換気通路部品９ｂとは一体に形成されており、換気通路部品９ｂに隣接する位置には、換気装置１５が設置されており、換気装置１５の排気吹き出し口は、換気通路部品９ｂの内面とケーシング６の内面との間に形成された換気通路１６に接続されている。しかして、浴室内の湿気を含んだ空気は、換気装置１５により換気通路１６等を通じて浴室暖房装置１の外部へ排出され、さらに、排気ダクトを通じて屋外へ排出される。
【００２１】
ケーシング６内に納められたコントローラケース１７内のコントローラ基板などに接続された内部配線は、ケーシング６に設けられた通孔からケーシング６の外部へ引き出されている。
【００２２】
図３は上記装置本体２の背面図である。ケーシング６の背面には、換気通路１６から排出される湿気を排出するための排出口１８が設けられている。排出口１８には上端縁を軸支された排気カバー１９が回動自在に取り付けられており、排気カバー１９は自重により閉じている。しかして、換気装置１５を運転すると、湿気を含んだ空気を排出する力によって排気カバー１９が開き、排気ダクト（図示せず）を通じて湿気が外部へ排出されるが、排気ダクト内に強風が吹き込んでも排気カバー１９が閉じて浴室内に風が吹き込むことがない。また、ケーシング６の背面においては、上面の近くに内外配線を接続するための端子台２０が設けられている。なお、図３に示す符号１７はコントローラ基板を納めたコントローラケースであって、ケーシング６内に納められている。
【００２３】
図４は装置本体２の斜め上方からの斜視図、図５は装置本体２の平面図である。ケーシング６の上面の前方隅部には、装置本体２の内部でコントローラ基板などにつながっている内部の配線２４を外部へ取り出すための引出し用孔２１が開口している。また、ケーシング６の上面には、当該引出し用孔２１から端子台２０へ向けて複数本の湾曲したリブ２２が互いに平行に立設されており、各リブ２２間には配線用凹部２３が形成されている。この凹部２３の幅は内部の配線２４の幅とほぼ等しく、深さは配線２４の厚みよりもやや大きくなっている。
【００２４】
しかして、図５に示すように、装置本体２の内部でコントローラ基板に接続された内部の配線２４は引出し用孔２１からケーシング６の外部へ引き出され、ただちに配線用凹部２３内に納められている。内部の配線２４は配線用凹部２３に沿って端子台２０の近くまで導かれ、端子台２０の端子に接続されている。一方、浴室暖房装置１の設置後に、熱源機やリモートコントローラから導かれた外部の配線２５も、この端子台２０に接続される。なお、内部の配線２４の浮き上がりをより確実に防止するためには、例えば配線用凹部２３及びその中の内部の配線２４を横切るようにしてケーシング６の上面に粘着テープ２６を貼り付けたり、ケーシング６の上面にネジ止めした押え板で押えたりしてもよい。
【００２５】
このように内部の配線２４は、ケーシング６の外面においては、リブ２２間の配線用凹部２３内に押し込まれているので、ケーシング６の外面から浮き上がりにくく、施工時に内部の配線２４に足を引っ掛けて断線させたり、つまづいたりする恐れが少ない。また、内部の配線２４は配線用凹部２３内にはまり込んで隠れているので、施工時に足先で内部の配線２４をすくい上げるように引っ掛けることもなく、内部の配線２４の断線やつまづきを防止することができる。
【００２６】
さらに、配線用凹部２３はケーシング６の外面に突出したリブ２２によって形成されているので、配線用凹部２３がケーシング６の裏面に飛び出ることがなく、ケーシング６内に無駄な空間が生じにくくなる。よって、浴室暖房装置１の小型化にも寄与できる。
【００２７】
【発明の効果】
請求項１の浴室暖房装置によれば、ケーシングの外面に配線用の凹部を形成し、ケーシングの外部へ引き出された配線をこの凹部に納めているので、ケーシングの外面で配線が浮き上がりにくく、施工時に配線に足などを引っ掛けて配線を損傷する恐れが少なくなる。また、施工時における浴室暖房装置の外観も良好にすることができる。
【００２８】
請求項２の浴室暖房装置によれば、ケーシングの外面に設けた少なくとも１本のリブの間に配線用の凹部を形成しているので、凹部がケーシングの内面に飛び出ることがなく、凹部の箇所でケーシングの内面を平坦に形成することが可能になる。よって、ケーシングをコンパクト化しても、ケーシングの内部に循環ファンモータや換気装置等の部品を収納し易くなり、組立て性が良好となる。
【００２９】
請求項３の浴室暖房装置によれば、内部の配線をケーシングの外部へ引き出している箇所から外部の配線と接続するための箇所まで凹部を設けているので、外部に引き出された配線のほぼ全長を凹部内に納めることができ、ケーシングの外面でより確実に配線が浮き上がりにくくなり、施工時に配線に足などを引っ掛けて配線を損傷するのを防止することができる。また、施工時における浴室暖房装置の外観もより一層良好になる。
【００３０】
請求項４の浴室暖房装置によれば、電気機器の配線を納められた前記凹部の少なくとも一部に設けた治具で配線を押えているので、浴室暖房装置の搬送中に配線が凹部から浮き上がってくるのを防止することができる。
【図面の簡単な説明】
【図１】（ａ）は本発明の一実施形態による浴室暖房装置の断面図、（ｂ）は（ａ）のＸ−Ｘ線断面図である。
【図２】同上の浴室暖房装置の装置本体を示す斜め下方からの斜視図である。
【図３】同上の装置本体の背面図である。
【図４】同上の装置本体の斜め上方からの斜視図である。
【図５】同上の装置本体の平面図である。
【符号の説明】
１　浴室暖房装置
２　装置本体
６　ケーシング
７　循環ファン
８　循環ファンモータ
１５　換気装置
１７　コントローラケース
２０　端子台
２１　引出し用孔
２２　リブ
２３　配線用凹部
２４　内部の配線
【図１】
2004060902.tif 000003
【図２】
2004060902.tif 000004
【図３】
2004060902.tif 000005
【図４】
2004060902.tif 000006
【図５】
2004060902.tif 000007